(57)【要約】【課題】ユーザの利便性を向上することができる給湯器の遠隔制御装置を提供する。【解決手段】台所用リモートコントローラ４は、音声の録音及び再生の少なくとも１つを行うための伝言メモ機能を含む複数の機能を有しており、給湯器２を遠隔制御する。台所リモートコントローラ４は、伝言機能動作実行部４７ａと、他の機能の動作部４７ｂ〜４７ｄと、動作制御部４７ｅとを備える。伝言機能動作実行部４７ａは、伝言メモ機能の動作を実行する。他の機能の動作部４７ｂ〜４７ｄは、伝言機能を除く他の機能の動作を実行することができる。動作制御部４７ｅは、伝言機能の動作が実行されている際に、他の機能の動作が実行されようとする場合、伝言機能動作実行部４７ａによる伝言機能の動作の実行を停止させる。【選択図】図８
2009135823.tif 000002
【特許請求の範囲】
【請求項１】
音声の録音及び再生の少なくとも１つを行うための伝言機能を含む複数の機能を有し、給湯器を遠隔制御する給湯器（２）の遠隔制御装置（４）であって、
前記伝言機能の動作を実行する伝言機能動作実行部（４７ａ）と、
複数の前記機能のうち前記伝言機能を除く残りの前記機能の動作を実行可能な他機能動作実行部（４７ｂ〜４７ｄ）と、
前記伝言機能動作実行部（４７ａ）により前記伝言機能の動作が実行されている際に、前記他機能動作実行部（４７ｂ〜４７ｄ）により残りの前記機能の動作が実行されようとする場合、前記伝言機能動作実行部（４７ａ）による前記伝言機能の動作の実行を停止させる動作制御部（４７ｅ）と、
を備える、給湯器の遠隔制御装置（４）。
【請求項２】
前記伝言機能動作実行部（４７ａ）が前記伝言機能の動作を停止したことを示す動作情報（Ｐ１）を報知する報知部（４２，４４）を更に備える、
請求項１に記載の給湯器の遠隔制御装置（４）。
【請求項３】
前記報知部（４２，４４）は、前記動作情報（Ｐ１）を表示可能な第１表示部（４２）であって、
前記動作制御部（４７ｅ）は、前記他機能動作実行部（４７ｂ〜４７ｄ）が残りの前記機能の動作を終了した場合、前記伝言機能に関する画面を前記第１表示部（４２）に表示させる、
請求項２に記載の給湯器の遠隔制御装置（４）。
【請求項４】
前記伝言機能動作実行部（４７ａ）により録音された前記音声を記憶する記憶部（４６）と、
前記音声に関する画面を表示可能な第２表示部（４２）と、
を更に備え、
前記動作制御部（４７ｅ）は、
前記伝言機能動作実行部（４７ａ）が前記伝言機能の動作として前記音声の録音動作を行っている時、前記記憶部（４６）が記憶可能な前記音声の第１残り時間の経時的変化を前記第２表示部（４２）にグラフ表示させ、
前記伝言機能動作実行部（４７ａ）が前記伝言機能の動作として前記音声の再生動作を行っている時、再生される前記音声の第２残り時間の経時的変化を前記第２表示部（４２）にグラフ表示させる、
請求項１〜３のいずれかに記載の給湯器の遠隔制御装置（４）。
【請求項５】
音声の録音及び再生の少なくとも１つを行うための伝言機能を含む複数の機能を有し、給湯器を遠隔制御する給湯器の遠隔制御装置（１０４）であって、
前記伝言機能の動作を実行する伝言機能動作実行部（１４７ａ）と、
複数の前記機能のうち前記伝言機能を除く残りの前記機能の動作を実行可能な他機能動作実行部（１４７ｂ〜１４７ｄ）と、
前記伝言機能動作実行部（１４７ａ）により前記伝言機能の動作が実行されている際に、前記他機能動作実行部（１４７ｂ〜１４７ｄ）により残りの前記機能の動作が実行されようとする場合、前記伝言機能動作実行部（１４７ａ）による前記伝言機能の動作の実行が終了した後に、前記他機能動作実行部（１４７ｂ〜１４７ｄ）に残りの前記機能の動作を実行させる動作制御部（１４７ｅ）と、
を備える、給湯器の遠隔制御装置（１０４）。
【請求項６】
前記伝言機能動作実行部（１４７ａ）により録音された前記音声を記憶する記憶部（１４６）と、
前記音声に関する画面を表示可能な第３表示部（１４２）と、
を更に備え、
前記動作制御部（１４７ｅ）は、
前記伝言機能動作実行部（１４７ａ）が前記伝言機能の動作として前記音声の録音動作を行っている時、前記記憶部（１４６）が記憶可能な前記音声の第３残り時間の経時的変化を前記第３表示部（１４２）にグラフ表示させ、
前記伝言機能動作実行部（１４７ａ）が前記伝言機能の動作として前記音声の再生動作を行っている時、再生される前記音声の第４残り時間の経時的変化を前記第３表示部（１４２）にグラフ表示させる、
請求項５に記載の給湯器の遠隔制御装置（１０４）。
【請求項７】
音声の録音及び再生の少なくとも１つを行うための伝言機能を含む複数の機能を有し、給湯器を遠隔制御する給湯器の遠隔制御装置（２０４）であって、
前記伝言機能の動作を実行する伝言機能動作実行部（２４７ａ）と、
複数の前記機能のうち前記伝言機能を除く残りの前記機能の動作を実行可能な他機能動作実行部（２４７ｂ〜２４７ｄ）と、
前記伝言機能動作実行部（２４７ａ）による前記伝言機能の動作を優先させる伝言機能優先モード、または前記他機能動作実行部（２４７ｂ〜２４７ｄ）による残りの前記機能の動作を優先させる他機能優先モードの指定を受け付け可能なモード受付部（２４１）と、
前記伝言機能動作実行部（２４７ａ）により前記伝言機能の動作が実行されている際に、前記他機能動作実行部（２４７ｂ〜２４７ｄ）により残りの前記機能の動作が実行されようとする場合、前記モード受付部（２４１）が受け付けた前記伝言機能優先モードまたは前記他機能優先モードに基づいて、前記伝言機能動作実行部（２４７ａ）による前記伝言機能の動作の実行及び前記他機能動作実行部（２４７ｂ〜２４７ｄ）による残りの前記機能の動作開始のいずれかを停止させる動作制御部（２４７ｅ）と、
を備える、給湯器の遠隔制御装置（２０４）。
【請求項８】
前記モード受付部（２４１）が前記他機能優先モードの指定を受け付けた場合、前記動作制御部（２４７ｅ）は、前記伝言機能動作実行部（２４７ａ）による前記伝言機能の動作の実行を停止させると共に、前記他機能動作実行部（２４７ｂ〜２４７ｄ）による残りの前記機能の動作を開始させる、
請求項７に記載の給湯器の遠隔制御装置（２０４）。
【請求項９】
前記伝言機能動作実行部（２４７ａ）が前記伝言機能の動作を停止したことを示す動作情報（Ｐ２）を報知する報知部（２４２，２４４）を更に備える、
請求項８に記載の給湯器の遠隔制御装置（２０４）。
【請求項１０】
前記報知部（２４２，２４４）は、前記動作情報（Ｐ２）を表示可能な第４表示部（２４２）であって、
前記動作制御部（２４７ｅ）は、前記他機能動作実行部（２４７ｂ〜２４７ｄ）が残りの前記機能の動作を終了した場合、前記伝言機能に関する画面を前記第４表示部（２４２）に表示させる、
請求項９に記載の給湯器の遠隔制御装置（２０４）。
【請求項１１】
前記動作制御部（２４７ｅ）は、
前記モード受付部（２４１）が前記伝言機能優先モードの指定を受け付けた場合、前記他機能動作実行部（２４７ｂ〜２４７ｄ）による残りの前記機能の動作開始を停止させると共に、前記伝言機能動作実行部（２４７ａ）による前記伝言機能の動作の実行を継続させ、
前記伝言機能の動作が終了した後に、前記他機能動作実行部（２４７ｂ〜２４７ｄ）に残りの前記機能の動作を開始させる、
請求項７に記載の給湯器の遠隔制御装置（２０４）。
【請求項１２】
前記伝言機能動作実行部（２４７ａ）により録音された前記音声を記憶する記憶部（２４６）と、
前記音声に関する画面を表示可能な第５表示部（２４２）と、
を更に備え、
前記動作制御部（２４７ｅ）は、
前記伝言機能動作実行部（２４７ａ）が前記伝言機能の動作として前記音声の録音動作を行っている時、前記記憶部（２４６）が記憶可能な前記音声の第５残り時間の経時的変化を前記第５表示部（２４２）にグラフ表示させ、
前記伝言機能動作実行部（２４７ａ）が前記伝言機能の動作として前記音声の再生動作を行っている時、再生される前記音声の第６残り時間の経時的変化を前記第５表示部（２４２）にグラフ表示させる、
請求項７〜１１のいずれかに記載の給湯器の遠隔制御装置（２０４）。
【請求項１３】
前記モード受付部（２４１）は、前記伝言機能動作実行部（２４７ａ）による前記伝言機能の動作及び前記他機能動作実行部（２４７ｂ〜２４７ｄ）による残りの前記機能の動作について優先順位が決定されてない非優先モードの指定を更に受け付けることが可能であって、
前記動作制御部（２４７ｅ）は、
前記モード受付部（２４１）が前記非優先モードの指定を受け付けた場合であって、かつ前記伝言機能の動作の実行中に残りの前記機能の動作が実行されようとする場合、現在行われている前記伝言機能の動作を停止させずに残りの前記機能の動作を開始させ、
前記モード受付部（２４１）が前記非優先モードの指定を受け付けた場合であって、かつ残りの前記機能の動作の実行中に前記伝言機能の動作が実行されようとする場合、現在行われている残りの前記機能の動作を停止させずに前記伝言機能の動作を開始させる、
請求項７に記載の給湯器の遠隔制御装置（２０４）。
【発明の詳細な説明】
【技術分野】
【０００１】
本発明は、遠隔制御装置、特に、音声の録音及び再生を行う伝言機能を含む複数の機能を有し、給湯器を遠隔制御する給湯器の遠隔制御装置に関する。
【背景技術】
【０００２】
従来より、水道源から給水される水を沸かしてタンク内に貯湯しておき、ユーザからの要求に応じて湯を提供する給湯器が利用されている。給湯器は、ユーザにより遠隔制御装置を介して遠隔制御される。この遠隔制御装置は、ユーザが様々な箇所から給湯器を遠隔制御可能なように、例えば台所や浴室等の複数箇所に設けられている場合が多い。
【０００３】
ところで、このような給湯器の遠隔制御装置には、給湯器を遠隔から制御する機能だけではなく、そのほかにも様々な機能を有しているものがある。例えば、音声を録音及び再生する伝言機能及び台所と浴室との間で通話を行う通話機能を備えた遠隔制御装置や（特許文献１）、設定内容の変更や状態を知らせる機能を備えた遠隔制御装置が知られている（特許文献２）。
【特許文献１】特開２００２−１３０８０１号公報
【特許文献２】特開２００３−１２５４６２号公報
【発明の開示】
【発明が解決しようとする課題】
【０００４】
しかしながら、上述したように伝言機能や通話機能等を有する遠隔制御装置においては、伝言機能による音声の録音動作または再生動作が行われる時と、通話機能による通話動作等の他機能の動作が行われる時とが重なってしまう場合がある。すると、遠隔制御装置を利用するユーザの意図しない音までもが録音されたり、意図しない音により再生中の音が聞き取りにくくなったりする恐れがある。この場合、ユーザは、録音や再生をし直すことになり、ユーザの使い勝手が損なわれてしまう。
【０００５】
そこで、本発明は、ユーザの利便性を向上することができる給湯器の遠隔制御装置の提供を目的とする。
【課題を解決するための手段】
【０００６】
発明１に係る給湯器の遠隔制御装置は、音声の録音及び再生の少なくとも１つを行うための伝言機能を含む複数の機能を有しており、給湯器を遠隔制御する。給湯器の遠隔制御装置は、伝言機能動作実行部と、他機能動作実行部と、動作制御部とを備える。伝言機能動作実行部は、伝言機能の動作を実行する。他機能動作実行部は、複数の機能のうち伝言機能を除く残りの機能の動作を実行可能である。動作制御部は、伝言機能動作実行部により伝言機能の動作が実行されている際に、他機能動作実行部により残りの機能の動作が実行されようとする場合、伝言機能動作実行部による伝言機能の動作の実行を停止させる。
【０００７】
この遠隔制御装置によると、伝言機能による音声の録音や再生動作が行われている時に、通話機能による通話動作等の他機能の動作が実行される場合、伝言機能による音声の録音や再生動作が中止される。これにより、他機能の動作が優先的に実行される。従って、例えばユーザが音声の録音を行っている時に通話機能の動作が実行されてしまい、通話までもが音声中に録音されたりすることや、音声を再生している時に通話機能の動作が実行されてしまい、再生中の音声と通話とが重なって出力されてしまうことを抑制することができるため、ユーザの利便性が向上する。
【０００８】
発明２に係る給湯器の遠隔制御装置は、発明１に係る給湯器の遠隔制御装置であって、報知部を更に備える。報知部は、伝言機能動作実行部が伝言機能の動作を停止したことを示す動作情報を報知する。
【０００９】
この給湯器の遠隔制御装置によると、ユーザは、音声の録音または再生中に、録音動作や再生動作が遠隔制御装置により故意に停止されたことを知ることができる。
【００１０】
発明３に係る給湯器の遠隔制御装置は、発明２に係る給湯器の遠隔制御装置であって、報知部は、動作情報を表示可能な第１表示部である。そして、動作制御部は、他機能動作実行部が残りの機能の動作を終了した場合、伝言機能に関する画面を第１表示部に表示させる。
【００１１】
伝言機能に関する画面としては、音声の録音画面や、音声の再生画面、伝言機能の設定画面などが挙げられる。この給湯器の遠隔制御装置によると、他機能の動作の実行が終了した後、ユーザは、音声の録音や再生用の画面を第１表示部に表示させる設定を行わずとも、第１表示部に自動的に表された伝言機能に関する画面上から音声の録音及び再生を簡単に開始させることができる。
【００１２】
発明４に係る給湯器の遠隔制御装置は、発明１〜３のいずれかに係る給湯器の遠隔制御装置であって、記憶部と第２表示部とを更に備える。記憶部は、伝言機能動作実行部により録音された音声を記憶する。第２表示部は、音声に関する画面を表示可能である。そして、動作制御部は、伝言機能動作実行部が伝言機能の動作として音声の録音動作を行っている時、記憶部が記憶可能な音声の第１残り時間の経時的変化を第２表示部にグラフ表示させる。また、動作制御部は、伝言機能動作実行部が伝言機能の動作として音声の再生動作を行っている時、再生される音声の第２残り時間の経時的変化を第２表示部にグラフ表示させる。
【００１３】
この給湯器の遠隔制御装置によると、ユーザは、音声の録音可能な第１残り時間や再生されている音声の第２残り時間を、第２表示部上から容易に知ることができる。
【００１４】
発明５に係る給湯器の遠隔制御装置は、音声の録音及び再生の少なくとも１つを行うための伝言機能を含む複数の機能を有しており、給湯器を遠隔制御する。この給湯器の遠隔制御装置は、伝言機能動作実行部と、他機能動作実行部と、動作制御部とを有する。伝言機能動作実行部は、伝言機能の動作を実行する。他機能動作実行部は、複数の機能のうち伝言機能を除く残りの機能の動作を実行可能である。動作制御部は、伝言機能動作実行部により伝言機能の動作が実行されている際に、他機能動作実行部により残りの機能の動作が実行されようとする場合、伝言機能動作実行部による伝言機能の動作の実行が終了した後に、他機能動作実行部に残りの機能の動作を実行させる。
【００１５】
この給湯器の遠隔制御装置によると、音声の録音動作及び再生動作は優先的に実行され、その後他機能の動作が実行される。従って、例えばユーザが音声の録音を行っている時に通話機能の動作が実行されてしまい、通話までもが音声と共に録音されたりすることや、音声を再生している時に通話機能の動作が実行されてしまい、再生中の音声と通話とが重なって出力されてしまうことを抑制することができるため、ユーザの利便性が向上する。
【００１６】
発明６に係る給湯器の遠隔制御装置は、発明５に係る給湯器の遠隔制御装置であって、記憶部と、第３表示部とを更に備える。記憶部は、伝言機能動作実行部により録音された音声を記憶する。第３表示部は、音声に関する画面を表示可能である。そして、動作制御部は、伝言機能動作実行部が伝言機能の動作として音声の録音動作を行っている時、記憶部が記憶可能な音声の第３残り時間の経時的変化を第３表示部にグラフ表示させる。また、動作制御部は、伝言機能動作実行部が伝言機能の動作として音声の再生動作を行っている時、再生される音声の第４残り時間の経時的変化を第３表示部にグラフ表示させる。
【００１７】
この給湯器の遠隔制御装置によると、ユーザは、音声の録音可能な第３残り時間や再生されている音声の第４残り時間を、第３表示部上から容易に知ることができる。
【００１８】
発明７に係る給湯器の遠隔制御装置は、音声の録音及び再生の少なくとも１つを行うための伝言機能を含む複数の機能を有しており、給湯器を遠隔制御する。この給湯器の遠隔制御装置は、伝言機能動作実行部と、他機能動作実行部と、モード受付部と、動作制御部とを備える。伝言機能動作実行部は、伝言機能の動作を実行する。他機能動作実行部は、複数の機能のうち伝言機能を除く残りの機能の動作を実行可能である。モード受付部は、伝言機能優先モードまたは他機能優先モードの指定を受け付けることができる。ここで、伝言機能優先モードは、伝言機能動作実行部による伝言機能の動作を優先させるモードである。他機能優先モードは、他機能動作実行部による残りの機能の動作を優先させるモードである。動作制御部は、伝言機能動作実行部により伝言機能の動作が実行されている際に、他機能動作実行部により残りの機能の動作が実行されようとする場合、モード受付部が受け付けた伝言機能優先モードまたは他機能優先モードに基づいて、伝言機能動作実行部による伝言機能の動作の実行及び他機能動作実行部による残りの機能の動作開始のいずれかを停止させる。
【００１９】
この給湯器の遠隔制御装置によると、伝言機能による音声の録音や再生動作が行われている時に他機能の動作が行われる際、伝言機能優先モードが指定されている場合には、他機能の動作開始が停止され、音声の録音や再生動作が優先的に実行される。また、他機能優先モードが指定されている場合には、伝言機能による音声の録音や再生動作が中止され、他機能の動作が優先的に実行される。従って、例えばユーザが音声の録音を行っている時に通話機能の動作が実行されてしまい、通話までもが音声と共に録音されたりすることや、音声を再生している時に通話機能の動作が実行されてしまい、再生中の音声と通話とが重なって出力されてしまうことを抑制することができるため、ユーザの利便性が向上する。
【００２０】
発明８に係る給湯器の遠隔制御装置は、発明７に係る給湯器の遠隔制御装置であって、モード受付部が他機能優先モードの指定を受け付けた場合、動作制御部は、伝言機能動作実行部による伝言機能の動作の実行を停止させると共に、他機能動作実行部による残りの機能の動作を開始させる。
【００２１】
この給湯器の遠隔制御装置によると、他機能優先モード指定時には、伝言機能の動作よりも他機能の動作が優先して行われるようになる。
【００２２】
発明９に係る給湯器の遠隔制御装置は、発明８に係る給湯器の遠隔制御装置であって、報知部を更に備える。報知部は、伝言機能動作実行部が伝言機能の動作を停止したことを示す動作情報を報知する。
【００２３】
この給湯器の遠隔制御装置によると、ユーザは、音声の録音または再生中に、録音動作や再生動作が遠隔制御装置により故意に停止されたことを知ることができる。
【００２４】
発明１０に係る給湯器の遠隔制御装置は、発明９に係る給湯器の遠隔制御装置であって、報知部は、動作情報を表示可能な第４表示部である。そして、動作制御部は、他機能動作実行部が残りの機能の動作を終了した場合、伝言機能に関する画面を第４表示部に表示させる。
【００２５】
伝言機能に関する画面としては、音声の録音画面や、音声の再生画面、伝言機能の設定画面などが挙げられる。この給湯器の遠隔制御装置によると、他機能の動作の実行が終了した後、ユーザは、音声の録音や再生用の画面を第４表示部に表示させる設定を行わずとも、第４表示部に自動的に表された伝言機能に関する画面上から音声の録音及び再生を簡単に開始させることができる。
【００２６】
発明１１に係る給湯器の遠隔制御装置は、発明７に係る給湯器の遠隔制御装置であって、動作制御部は、モード受付部が伝言機能優先モードの指定を受け付けた場合、他機能動作実行部による残りの機能の動作開始を停止させると共に、伝言機能動作実行部による伝言機能の動作の実行を継続させる。そして、動作制御部は、伝言機能の動作が終了した後に、他機能動作実行部に残りの機能の動作を開始させる。
【００２７】
この給湯器の遠隔制御装置によると、伝言機能優先モード指定時には、他機能の動作よりも伝言機能の動作が優先して行われるようになる。
【００２８】
発明１２に係る給湯器の遠隔制御装置は、発明７〜１１のいずれかに係る給湯器の遠隔制御装置であって、記憶部と、第５表示部とを更に備える。記憶部は、伝言機能動作実行部により録音された音声を記憶する。第５表示部は、音声に関する画面を表示可能である。そして、動作制御部は、伝言機能動作実行部が伝言機能の動作として音声の録音動作を行っている時、記憶部が記憶可能な音声の第５残り時間の経時的変化を第５表示部にグラフ表示させる。また、動作制御部は、伝言機能動作実行部が伝言機能の動作として音声の再生動作を行っている時、再生される音声の第６残り時間の経時的変化を第５表示部にグラフ表示させる。
【００２９】
この給湯器の遠隔制御装置によると、ユーザは、音声の録音可能な第５残り時間や再生されている音声の第６残り時間を、第５表示部上から容易に知ることができる。
【００３０】
発明１３に係る給湯器の遠隔制御装置は、発明７に係る給湯器の遠隔制御装置であって、モード受付部は、非優先モードの指定を更に受け付けることが可能である。非優先モードは、伝言機能動作実行部による伝言機能の動作及び他機能動作実行部による残りの機能の動作について優先順位が決定されてないモードである。そして、動作制御部は、モード受付部が非優先モードの指定を受け付けた場合であって、かつ伝言機能の動作の実行中に残りの機能の動作が実行されようとする場合、現在行われている伝言機能の動作を停止させずに残りの機能の動作を開始させる。また、動作制御部は、モード受付部が非優先モードの指定を受け付けた場合であって、かつ残りの機能の動作の実行中に伝言機能の動作が実行されようとする場合、現在行われている残りの機能の動作を停止させずに伝言機能の動作を開始させる。
【００３１】
この給湯器の遠隔制御装置によると、ユーザは、伝言機能優先モード及び他機能優先モードの他に、非優先モードを指定することができる。そのため、ユーザの選択肢の幅が広がり、使い勝手が良くなる。また、この給湯器の遠隔制御装置によると、非優先モードが指定されている場合には、例えば伝言機能により音声の録音動作が行われている際に通話機能が実行されようとする場合、伝言機能の動作が停止されることなく通話機能が開始されるため、通話内容が録音されるようになる。
【発明の効果】
【００３２】
発明１、発明５及び発明７に係る給湯器の遠隔制御装置によると、例えばユーザが音声の録音を行っている時に通話機能の動作が実行されてしまい、通話までもが音声と共に録音されたりすることや、再生を再生している時に通話機能の動作が実行されてしまい、再生中の音声と通話とが重なって出力されてしまうことを抑制することができるため、ユーザの利便性が向上する。
【００３３】
発明２及び発明９に係る給湯器の遠隔制御装置によると、ユーザは、音声の録音または再生中に、録音動作や再生動作が遠隔制御装置により故意に停止されたことを知ることができる。
【００３４】
発明３及び発明１０に係る給湯器の遠隔制御装置によると、他機能の動作の実行が終了した後、ユーザは、音声の録音や再生用の画面を表示部に表示させる設定を行わずとも、表示部上に自動的に表示された伝言機能に関する画面上から音声の録音及び再生を簡単に開始させることができる。
【００３５】
発明４、発明６及び発明１２に係る給湯器の遠隔制御装置によると、ユーザは、音声の録音可能な残り時間や再生されている音声の残り時間を容易に知ることができる。
【００３６】
発明８に係る給湯器の遠隔制御装置によると、他機能優先モード指定時には、伝言機能の動作よりも他機能の動作が優先して行われるようになる。
【００３７】
発明１１に係る給湯器の遠隔制御装置によると、伝言機能優先モード指定時には、他機能の動作よりも伝言機能の動作が優先して行われるようになる。
【００３８】
発明１３に係る給湯器の遠隔制御装置によると、ユーザの選択肢の幅が広がるため、使い勝手が良くなる。また、非優先モードが指定されている場合には、例えば伝言機能により音声の録音動作が行われている際に通話機能が実行されようとする場合、伝言機能の動作が停止されることなく通話機能が開始されるため、通話内容が録音されるようになる。
【発明を実施するための最良の形態】
【００３９】
以下、本発明の給湯器の遠隔制御装置について、図面を用いて詳細に説明する。
【００４０】
＜第１実施形態＞
（１）給湯システムの構成
図１は、本実施形態に係る給湯システム１の構成図である。図１の給湯システム１は、ユーザ宅に設置されており、給湯器２、台所用リモートコントローラ４（給湯器の遠隔制御装置に相当）、及び浴室用リモートコントローラ５で構成される。このような給湯システム１は、ユーザ宅の浴室に設置された浴槽８１の浴槽吐出口８１ａや、台所等に設置された水栓８２に温められた水を供給することができる。
【００４１】
（１−１）給湯器
給湯器２は、主として、ヒートポンプユニット２１、貯湯タンク２２及び第２水熱交換器２３を有している。
【００４２】
ヒートポンプユニット２１は、空気熱交換器２１ａ、圧縮機２１ｂ、第１水熱交換器２１ｃ及び膨張弁２１ｄを有しており、これらは順次接続されて冷凍サイクルを構成している。ヒートポンプユニット２１は、空気熱交換器２１ａにおいて大気中の熱を汲み上げて自然冷媒ＣＯ2に伝え、圧縮機２１ｂにおいて自然冷媒ＣＯ2を圧縮し更に高温化させ、第１水熱交換器２１ｃにおいて配管２４を流れる水に自然冷媒ＣＯ2の熱を伝え、膨張弁２１ｄにおいて自然冷媒ＣＯ2を減圧し低温化させて再び空気熱交換器２１ａに送る。貯湯タンク２２内には、水道源２５から配管２５ａを介して給水がされ、貯湯タンク２２内に給水された水は、配管２４に送られ、第１水熱交換器２１ｃから熱を奪って沸き上げられて湯となる（沸き上げ動作）。即ち、沸き上げ動作時には、貯湯タンク２２内の水は第１水熱交換器２１ｃにより加熱される。
【００４３】
貯湯タンク２２に貯湯された水（湯）は、給湯器２を利用するユーザの要求に応じて、水栓８２に提供されたり、浴槽８１の浴槽吐出口８１ａを介して浴槽８１に提供されたりする（お湯はり動作）。また、浴槽８１内に貯められた水は、ユーザの要求に応じて、浴槽８１の浴槽回収口８１ｂから浴槽循環路２６ａを介して第２水熱交換器２３に送られ、その後浴槽吐出口８１ａを介して浴槽８１内に戻される。この時、貯湯タンク２２内の水は、貯湯タンク循環路２６ｂを介して第２水熱交換器２３に送られた後、再度貯湯タンク２２内に戻される。そのため、浴槽８１内に貯められていた水は、第２水熱交換器２３により貯湯タンク２２内の高音の水と熱交換を行い、温められる（追い炊き動作）。即ち、追い炊き動作時には、浴槽８１内の水は第２水熱交換器２３により加熱される。
【００４４】
貯湯タンク２２内部には、５つの水位センサＳＮ１，ＳＮ２，ＳＮ３，ＳＮ４，ＳＮ５と、温度検知用サーミスタＴｈ１とが取り付けられている。水位センサＳＮ１〜ＳＮ５は、高さの異なる複数位置に設けられており、水の有無を検出することで貯湯タンク２２内に蓄えられた水の量（即ち、残湯量）を検出することができる。温度検知用サーミスタＴｈ１は、貯湯タンク２２内部の水の温度を検知することができる。
【００４５】
尚、ヒートポンプユニット２１のケーシング内には、ＣＰＵやＲＯＭ等で構成されるマイクロコンピュータ３が取り付けられている。マイクロコンピュータ３は、ヒートポンプ２１内の各機能部の制御や、貯湯タンク２２内の水位センサＳＮ１〜ＳＮ５及び温度検知用サーミスタＴｈ１の検知結果に基づいて沸き上げ動作、お湯はり動作及び追い炊き動作等の制御を行う。また、マイクロコンピュータ３は、台所用リモートコントローラ４及び浴室用リモートコントローラ５とも接続されており、給湯器２に関する情報を両リモートコントローラ４，５に出力する。ここで、給湯器２に関する情報としては、給湯器２がお湯はり動作や追い炊き動作等の各種動作を現在行っているか否かを示す情報や、貯湯タンク２２内の残湯量を示す情報、浴槽８１内に貯められた水の現在の温度及びその量等が挙げられる。
【００４６】
（１−２）台所用リモートコントローラ
台所用リモートコントローラ４は、ユーザの利便性を考慮してユーザ宅の台所の側壁に取り付けられている。台所用リモートコントローラ４は、給湯器２を遠隔制御するためのものであって、給湯器２のマイクロコンピュータ３に接続されている。そして、本実施形態に係る台所用リモートコントローラ４は、複数の機能を有している。台所用リモートコントローラ４が有する機能としては、音声の録音及び再生を行うための伝言メモ機能や、台所にいるユーザと浴室にいる他のユーザとが各リモートコントローラ４，５を介して通話を行うための通話機能、所定時間が経過した旨をユーザに知らせるためのキッチンタイマ機能、お湯はり動作や追い炊き動作の終了、貯湯タンク２２の湯量変化等を知らせるためのガイダンス機能が挙げられる。このような台所用リモートコントローラ４は、図２及び図３に示すように、操作部４１、表示部４２（第１表示部及び第２表示部に相当）、マイク４３、スピーカー４４、通信部４５、記憶部４６及び制御部４７を備える。
【００４７】
操作部４１は、各種運転の実行を指示するためのボタンや数値の設定ボタン等によって構成されており、これらのボタンがユーザにより押されると、押されたボタンに対応する指示を受け付ける。具体的に、操作部４１が有するボタンとしては、図２に示すように、伝言メモ機能ボタン４１ａ、沸き上げ運転開始ボタン４１ｂ、メニューボタン４１ｃ、数値の設定ボタン４１ｄ等が挙げられる。メニューボタン４１ｃは、給湯器２に関する各種設定や伝言メモ機能以外の機能の設定等を行うことができるメニュー画面を表示部４２に表示させるためのボタンである。また、数値の設定ボタン４１ｄは、浴槽８１及び水栓８２に供給される水の給湯温度や、浴槽８１に供給される水の目標水位等の具体的な数値を設定するためのボタンである。
【００４８】
表示部４２は、例えば液晶ディスプレイで構成されており、図２に示すように、操作部４１を用いて設定された水の給湯温度や、貯湯タンク２２内の残湯量等を表示する。また、表示部４２は、各種機能の設定画面等を表示することができる。例えば、伝言メモ機能ボタン４１ａがユーザにより押された場合には、表示部４２は、伝言メモ機能に関する画面（具体的には、図４に示すように、伝言メモ機能を用いての音声の録音や再生、音声の消去を行うための画面）を表示する。
【００４９】
マイク４３は、台所用リモートコントローラ４周辺の音の入力を受け付けるものである。マイク４３は、主として、伝言メモ機能を用いて音声の録音が行われる場合、通話機能を用いて通話が行われる場合に利用される。スピーカー４４は、台所用リモートコントローラ４周辺に音を出力するものである。スピーカー４４は、主として、伝言メモ機能を用いて音声の再生が行われる場合、通話機能を用いて通話が行われる場合、キッチンタイマ機能を用いて所定時間経過した旨を報知する場合、ガイダンス機能を用いてお湯はり動作終了等を報知する場合に利用される。
【００５０】
通信部４５は、給湯器２のマイクロコンピュータ３と通信を行う。例えば、通信部４５は、操作部４１の各種ボタンが押された場合、押されたボタンに基づく運転指示や給湯温度等を含む制御信号を、マイクロコンピュータ３に送信する。通信部４５は、給湯器２に関する情報をマイクロコンピュータ３から受信する。また、通信部４５は、通話機能の動作時、マイク４３から入力された音声をマイクロコンピュータ３を介して浴室用リモートコントローラ５に送信したり、逆にマイクロコンピュータ３を介して送られてきた浴室用リモートコントローラ５からの音声をスピーカー４４に出力したりする。
【００５１】
記憶部４６は、後述する伝言機能動作実行部４７ａにより伝言メモ機能を用いて音声の録音が行われた場合、マイク４３に入力された音声を記憶しておくことができる。
【００５２】
制御部４７は、ＣＰＵ、ＲＡＭ及びＲＯＭからなるマイクロコンピュータで構成されている。制御部４７は、図３に示すように、操作部４１、表示部４２、マイク４３、スピーカー４４、通信部４５及び記憶部４６と接続されており、接続された各種機器の制御を行う。また、本実施形態に係る制御部４７は、伝言メモ機能や通話機能等の、台所用リモートコントローラ４が有する各種機能の動作を実行する。このような動作を行うため、制御部４７は、伝言機能動作実行部４７ａ、通話機能動作部４７ｂ、キッチンタイマ機能動作部４７ｃ、ガイダンス機能動作部４７ｄ（通話機能動作部４７ｂ、キッチンタイマ機能動作部４７ｃ及びガイダンス機能動作部４７ｄは、伝言メモ機能以外の残りの機能の動作を実行可能な他機能動作実行部に相当）、及び動作制御部４７ｅとして機能する。
【００５３】
〔伝言機能動作実行部〕
伝言機能動作実行部４７ａは、伝言メモ機能の動作を実行する。例えば、伝言メモ機能ボタン４１ａがユーザにより押され、図４の伝言メモ機能に関する画面上から「伝言メモの録音」が選択された場合、伝言機能動作実行部４７ａは、先ずマイク４３をオンの状態にする。次いで、伝言機能動作実行部４７ａは、所定時間内にマイク４３に入力された音声を音声データとして記憶部４６に記憶させることで、音声の録音動作を行う。また図４に示す画面上から「伝言メモの再生」が選択された場合、伝言機能動作実行部４７ａは、先ずスピーカー４４をオンにする。次いで、伝言機能動作実行部４７ａは、記憶部４６内に記憶されている音声データを抽出し、スピーカー４４から出力させることで、音声の再生動作を行う。尚、図４に示す画面上から「伝言メモの消去」が選択された場合には、伝言機能動作実行部４７ａは、記憶部４６内に記憶されている音声データを消去する。
【００５４】
〔通話機能動作部〕
通話機能動作部４７ｂは、通話機能の動作を実行する。例えば、メニューボタン４１ｃの押下により表示部４２に表示されたメニュー画面上から通話機能の開始が選択された場合、通話機能動作部４７ｂは、マイク４３及びスピーカー４４をオンの状態にする。この時、通信部４５から浴室用リモートコントローラ５へは、通話機能の動作が開始されたことを示す情報が送信される。これにより、メニューボタン４１ｃを押したユーザは、台所用リモートコントローラ４を介して浴室用リモートコントローラ５側のユーザと通話を行うことが可能となる。
【００５５】
〔キッチンタイマ機能動作部〕
キッチンタイマ機能動作部４７ｃは、キッチンタイマ機能の動作を実行する。具体的には、例えば、メニューボタン４１ｃの押下により表示部４２に表示されたメニュー画面上からキッチンタイマ機能が選択されてから所定時間が経過した時、キッチンタイマ機能動作部４７ｃは、この旨を示す音をスピーカー４４から出力させる。尚、所定時間は、操作部４１を介してユーザが所望する時間に設定される。
【００５６】
〔ガイダンス機能動作部〕
ガイダンス機能動作部４７ｄは、ガイダンス機能の動作を実行する。例えば、給湯器２に関する情報としてお湯はり動作が終了した旨を通信部４５がマイクロコンピュータ３から受信した場合、ガイダンス機能動作部４７ｄは、この旨をユーザに知らせるための音をスピーカー４４から出力させる。
【００５７】
〔動作制御部〕
本実施形態に係る動作制御部４７ｅは、伝言機能動作実行部４７ａ及びその他の機能の動作部４７ｂ〜４７ｄの動作の実行を制御する。具体的には、動作制御部４７ｅは、伝言機能動作実行部４７ａにより伝言メモ機能の動作が実行されている際に、その他の機能の動作部４７ｂ〜４７ｄにより他の機能の動作が実行されようとする場合、伝言機能動作実行部４７ａによる伝言メモ機能の動作の実行を停止させる。
【００５８】
例えば、伝言メモ機能により音声の録音または再生が行われている途中で、浴室用リモートコントローラ５において通話機能ボタンが押された場合、動作制御部４７ｅは、先ずは現在行われている伝言メモ機能による音声の録音または再生を中止させ、次いで通話機能動作部４７ｂによる通話機能の動作を実行させる。そして、通話動作が終了し、通話機能動作部４７ｂによる通話機能の動作がオフとなった場合、動作制御部４７ｅは、再度伝言機能動作実行部４７ａによる伝言メモ機能の動作を実行させるべく、伝言メモ機能に関する画面（即ち、図４の画面）を表示部４２に表示させる。このように、本実施形態に係る動作制御部４７ｅは、伝言メモ機能の動作時に他の機能の動作が割り込まれた場合、伝言メモ機能の動作よりも他機能の動作の実行を優先させる。
【００５９】
尚、上述したように、伝言メモ機能による音声の録音または再生が途中で停止した場合、それまでに録音されていた音声データは不完全なものとなるため、この音声データは記憶部４６には記憶されず、消去されることが好ましい。これを実現するため、本実施形態に係る記憶部４６は、記憶領域が予め２つに分けられた状態にあるとする。１つの記憶領域（第１記憶領域）には、録音中の音声データが一時的に書き込まれ、もう１つの記憶領域（第２記憶領域）には、録音動作が途中で停止されず録音が完了された音声データが書き込まれる。具体的には、伝言機能動作実行部４７ａは、録音動作時には第１記憶領域に音声データを一時的に記憶させ、録音が途中で停止されることなく完了した場合には、第１記憶領域に記憶させた音声データを第２記憶領域に移動させる。また、動作制御部４７ｅにより録音動作が途中で停止された場合には、伝言機能動作実行部４７ａは、第１記憶領域に記憶中だった音声データを、第１記憶領域から消去する。これにより、記憶部４６には、録音動作が完了した音声データが記憶されるようになる。
【００６０】
また、動作制御部４７ｅは、表示部４２に表示させる画面の管理を行う。例えば、動作制御部４７ｅは、伝言メモ機能ボタン４１ａがユーザにより押された場合には、図４の画面を表示部４２に表示させ、メニューボタン４１ｃがユーザにされた場合には、メニュー画面を表示部４２に表示させる。
【００６１】
更に、本実施形態に係る動作制御部４７ｅは、伝言メモ機能により音声の録音及び再生が行われている時には、図５及び図６に示すような音声に関する画面を表示部４２に出力させる。ここで、図５（ａ）〜（ｃ）は、図４の画面において「伝言メモの録音」が選択され、音声の録音が行われている時に表示される画面例である。図６（ａ）〜（ｃ）は、図４の画面において「伝言メモの再生」が選択され、音声の再生が行われている時に表示される画面例である。図５（ａ）〜（ｃ）では、録音が開始されてから例えば１秒経過する毎に、グラフｇ１の長さが右方向に延びている。即ち、グラフｇ１は、録音された音声データの時間を示している。また、グラフｇ１の右側にあるバーｅ１は、音声を録音可能な最大時間を示しており、グラフｇ１の右側端部からバーｅ１までの時間ｒ１は、録音可能な残時間を示している。一方、図６（ａ）〜（ｃ）では、音声の再生が開始されてから例えば１秒経過する度に、グラフｇ２の長さが左方向に短くなっている。即ち、グラフｇ２は、音声データの残時間を示している。このように、動作制御部４７ｅは、録音可能な（即ち、記憶部６が記憶可能な）音声の残時間（第１残り時間に相当）の経時的変化及び再生される音声データの残時間（第２残り時間に相当）の経時的変化を、ユーザが容易に把握できるようにグラフ表示させることができる。これにより、ユーザは、音声をあとどのくらいの時間録音できるのかや、音声データがどの程度まで再生されたか（即ち、進捗状況）を、容易に知ることができる。
【００６２】
（１−３）浴室用リモートコントローラ
浴室用リモートコントローラ５は、台所用リモートコントローラ４と同様、給湯器２を遠隔制御するためのものであって、ユーザ宅の浴室内の側壁に取り付けられている。また、浴室用リモートコントローラ５は、通話機能やガイダンス機能を有している。
【００６３】
浴室用リモートコントローラ５は、図７に示すように、操作部５１、表示部５２、マイク５３及びスピーカー５４を有している。操作部５１は、通話機能ボタン５１ａや、追い炊き運転等の各種運転の実行指示ボタン等によって構成されている。表示部５２は、操作部５１を用いて設定された水の給湯温度や、貯湯タンク２２内の残湯量等を表示する。マイク５３は、通話機能動作時に音声の入力を受け付けるものであって、スピーカー５４は、通話機能動作時においては台所用リモートコントローラ４からの音声を出力したり、追い炊き動作の終了等をアナウンスする音を出力したりする。
【００６４】
また、浴室用リモートコントローラ５は、マイクロコンピュータ３と通信を行うための通信部や、通話機能やガイダンス機能の動作を行う制御部（いずれも図示せず）を有している。
【００６５】
（２）台所用リモートコントローラの動作
次に、本実施形態の一特徴である台所用リモートコントローラ４の動作について、図８を用いて説明する。
【００６６】
ステップＳ１：操作部４１上の伝言メモ機能ボタン４１ａが押された場合（Ｓ１のＹｅｓ）、表示部４２には、図４の画面が表示される。
【００６７】
ステップＳ２：表示部４２に表示された図４の画面上から音声の再生または録音のいずれかが選択されると、伝言機能動作実行部４７ａは、選択された音声の再生または録音、即ち伝言メモ機能の動作を開始させる。伝言機能動作実行部４７ａにより音声の録音動作が行われている時には、動作制御部４７ｅは、図５（ａ）〜（ｃ）に示す画面を表示部４２に表示させる。また、伝言機能動作実行部４７ａにより音声の再生動作が行われている時には、動作制御部４７ｅは、図６（ａ）〜（ｃ）に示す画面を表示部４２に表示させる。
【００６８】
ステップＳ３〜Ｓ４：伝言メモ機能の動作が実行中の状態において、伝言メモ機能以外の動作（具体的には、通話機能、ガイダンス機能及びキッチンタイマ機能による所定時間経過の報知のいずれか）が割り込まれた場合（Ｓ３のＹｅｓ）、動作制御部４７ｅは、現在実行中の伝言メモ機能の動作を停止させると共に、図９に示すように、伝言メモ機能の動作が途中で停止した旨を示す動作情報Ｐ１を、表示部４２に表示させる（Ｓ４）。
【００６９】
ステップＳ５：伝言メモ機能の動作が停止された後、動作制御部４７ｅは、他の機能の動作部４７ｂ〜４７ｄのうち、ステップＳ３で割り込まれた機能を実行可能な動作部４７ｂ〜４７ｄに、その機能の動作を開始させる。
【００７０】
ステップＳ６〜Ｓ７：ステップＳ５で開始された機能の動作が終了した後（Ｓ６のＹｅｓ）、動作制御部４７ｅは、図４の伝言メモ機能に関する画面を表示部４２に表示させる。その後、台所用リモートコントローラ４は、ステップＳ２以降の動作を行う。
【００７１】
ステップＳ８：ステップＳ３において、伝言メモ機能の動作中に他の機能の割り込みが生じず（Ｓ３のＮｏ）、伝言メモ機能の動作が終了した場合には（Ｓ８のＹｅｓ）、台所用リモートコントローラ４は、一連の動作を終了する。尚、ステップＳ８において伝言メモ機能の動作が終了していない場合には、台所用リモートコントローラ４は、ステップＳ３以降の動作を繰り返す。
【００７２】
（３）効果
（Ａ）
本実施形態に係る台所用リモートコントローラ４によると、伝言メモ機能による音声の録音や再生動作が行われている時に、通話機能による通話動作等の他機能の動作が実行される場合、伝言メモ機能による音声の録音や再生動作が停止される。これにより、他機能の動作が優先的に実行される。従って、例えば台所用リモートコントローラ４を利用するユーザが伝言メモ機能を用いて音声の録音を行っている時に通話機能の動作が実行されてしまい、通話までもが音声と共に録音されてしまったり、伝言メモ機能を用いて音声の再生を行っている時に通話機能の動作が実行されてしまい、再生中の音声と通話とが重なって出力されてしまったりすることを抑制することができるため、ユーザの利便性が向上する。
【００７３】
（Ｂ）
また、伝言機能動作実行部４７ａが伝言メモ機能の動作を途中で停止した場合、表示部４２には、この旨を示す動作情報Ｐ１（図９）が表示される。従って、台所用リモートコントローラ４を利用するユーザは、音声の録音または再生中に、録音動作や再生動作が台所用リモートコントローラ４により故意に停止されたことを知ることができる。
【００７４】
（Ｃ）
また、動作制御部４７ｅは、伝言メモ機能の動作が途中で停止され、次いで実行されていた伝言メモ機能以外の他の機能の動作が終了した場合、図４に示すような伝言メモ機能に関する画面を表示部４２に表示させる。従って、ユーザは、他機能の動作の実行が終了した後、音声の録音や再生用の画面を表示部４２に表示させる設定を行わずとも、表示部４２に自動的に表された図４の画面上から音声の録音及び再生を簡単に開始させることができる。
【００７５】
（Ｄ）
また、伝言機能動作実行部４７ａが伝言メモ機能の動作として音声の録音動作を行っている時、表示部４２には、図５（ａ）〜（ｃ）に示すように、録音可能な残り時間の経時的変化がグラフ表示される。また、伝言機能動作実行部４７ａが伝言メモ機能の動作として音声の再生動作を行っている時、表示部４２には、図６（ａ）〜（ｃ）に示すように、再生されている音声データの残り時間の経時的変化がグラフ表示される。従って、ユーザは、音声の録音可能な残り時間や再生されている音声の残り時間を、表示部４２上から容易に知ることができる。
【００７６】
＜第２実施形態＞
次に、本発明の第２実施形態に係る台所用リモートコントローラ１０４について説明する。本実施形態に係る台所用リモートコントローラ１０４は、第１実施形態に係る台所用リモートコントローラ４と同様、給湯器２を遠隔制御するためのものであって、伝言メモ機能や通話機能、キッチンタイマ機能、ガイダンス機能等の複数の機能を有している。
【００７７】
尚、台所用リモートコントローラ１０４は、第１実施形態に係る台所用リモートコントローラ４と同様、図１の給湯システム１を構成する１つの機器である。また、本実施形態において、給湯システム１を構成する台所用リモートコントローラ１０４以外のその他の機器としては、給湯器２及び浴室用リモートコントローラ５が該当するが、これらの各機器の詳細な構成は第１実施形態と同様であるため、説明を省略する。
【００７８】
（１）台所用リモートコントローラの構成
台所用リモートコントローラ１０４は、図１０に示すように、操作部１４１、表示部１４２（第３表示部に相当）、マイク１４３、スピーカー１４４、通信部１４５、記憶部１４６及び制御部１４７を備える。また、制御部１４７は、伝言メモ機能の動作を行う伝言機能動作実行部１４７ａ、通話機能の動作を行う通話機能動作部１４７ｂ、キッチンタイマ機能の動作を行うキッチンタイマ機能動作部１４７ｃ、ガイダンス機能の動作を行うガイダンス機能動作部１４７ｄ、伝言機能動作実行部１４７ａ及びその他の機能の動作部１４７ｂ〜１４７ｄの動作の実行を制御する動作制御部１４７ｅとして機能する。
【００７９】
尚、操作部１４１、表示部１４２、マイク１４３、スピーカー１４４、通信部１４５、記憶部１４６、伝言機能動作実行部１４７ａ、通話機能動作部１４７ｂ、キッチンタイマ機能動作部１４７ｃ、ガイダンス機能動作部１４７ｄについては、第１実施形態で同じ名称を付して示した図３に係る操作部４１、表示部４２、マイク４３、スピーカー４４、通信部４５、記憶部４６、伝言機能動作実行部４７ａ、通話機能動作部４７ｂ、キッチンタイマ機能動作部４７ｃ、ガイダンス機能動作部４７ｄと同様であるため、詳細な説明を省略する。以下より、本実施形態の一特徴である動作制御部１４７ｅについて説明する。
【００８０】
動作制御部１４７ｅは、伝言機能動作実行部１４７ａにより伝言メモ機能の動作が実行されている際に、その他の機能の動作部１４７ｂ〜１４７ｄにより他の機能の動作が実行されようとする場合、他の機能の動作を停止させた状態にして、伝言機能動作実行部１４７ａによる伝言メモ機能の動作を優先して実行させる。そして、動作制御部１４７ｅは、伝言メモ機能の動作が終了した後に、他の機能の動作を実行させる。例えば、伝言メモ機能により音声の録音や再生が行われている途中で、浴槽８１へのお湯張りが終了した場合を考える。この場合、動作制御部１４７ｅは、ガイダンス機能動作部１４７ｄによるガイダンス機能の動作（具体的には、お湯はりの終了をユーザに報知する動作）を開始させずに、現在行われている伝言機能動作実行部１４７ａによる音声の録音や再生を優先して行わせる。そして、動作制御部１４７ｅは、伝言メモ機能による音声の録音や再生が終了した後、ガイダンス機能動作部１４７ｄにお湯はりのユーザへの報知を行わせる。
【００８１】
これにより、ユーザは、音声の録音や再生動作を再度やり直さずに済む。また、例えば通話機能等のように、伝言メモ機能の動作中に実行されようとする他の機能の種類によっては、その機能の動作が開始されてから終了するまでの所要時間が不明なものがある。これに対し、伝言メモ機能の動作では、音声を録音できる最大時間が例えば「３０秒」のように所要時間が決まっているため、通話機能等のように所要時間が予測不能な機能よりも所要時間が比較的短いと判断することも可能である。従って、上述したように、他の機能の動作よりも伝言メモ機能の動作を優先させる方法を用いることで、ユーザの利便性を確保することができる。
【００８２】
また、本実施形態に係る動作制御部１４７ｅは、第１実施形態に係る動作制御部４７ｅと同様、伝言メモ機能により音声の録音及び再生が行われている時には、図５及び図６に示すような音声に関する画面を表示部１４２に出力させる。即ち、動作制御部１４７ｅは、音声の録音動作時には、図５（ａ）〜（ｃ）に示すように、録音可能な音声の残り時間（第３残り時間に相当）の経時的変化を、ユーザが把握できるように表示部１４２にグラフ表示させる。また、動作制御部１４７ｅは、音声の再生動作時には、図６（ａ）〜（ｃ）に示すように、音声が再生される残り時間（第４残り時間に相当）の経時的変化を、ユーザが把握できるように表示部１４２にグラフ表示させる。
【００８３】
（２）台所用リモートコントローラの動作
次に、台所用リモートコントローラ１０４の動作について、図１１を用いて説明する。
【００８４】
ステップＳ２１〜Ｓ２２：操作部１４１上の伝言メモ機能ボタンが押され（ステップＳ２１のＹｅｓ）、次いで音声の再生または録音のいずれかが選択されると、伝言機能動作実行部１４７ａは、選択された音声の再生または録音、即ち伝言メモ機能の動作を開始させる（Ｓ２２）。伝言機能動作実行部１４７ａにより音声の録音動作が行われている時には、動作制御部１４７ｅは、図５（ａ）〜（ｃ）に示す画面を表示部１４２に表示させる。また、伝言機能動作実行部１４７ａにより音声の再生動作が行われている時には、動作制御部１４７ｅは、図６（ａ）〜（ｃ）に示す画面を表示部１４２に表示させる。
【００８５】
ステップＳ２３〜Ｓ２４：伝言メモ機能の動作が実行中の状態において、伝言メモ機能以外の動作（具体的には、通話機能、ガイダンス機能及びキッチンタイマ機能による所定時間経過の報知のいずれか）が割り込まれた場合（Ｓ２３のＹｅｓ）、動作制御部１４７ｅは、割り込まれた他の機能の動作を開始させずに、現在行われている伝言メモ機能の動作を継続させる（Ｓ２４）。
【００８６】
ステップＳ２５〜Ｓ２６：伝言メモ機能の動作が終了すると（Ｓ２５のＹｅｓ）、動作制御部１４７ｅは、ステップＳ２３で割り込まれた他の機能の動作を、この機能を実行可能な動作部１４７ｂ〜１４７ｄに行わせる（Ｓ２６）。
【００８７】
ステップＳ２７：ステップＳ２３において、伝言メモ機能の動作中に他の機能の割り込みが生じず（Ｓ２３のＮｏ）、伝言メモ機能の動作が終了した場合には（Ｓ２７のＹｅｓ）、台所用リモートコントローラ１０４は、一連の動作を終了する。尚、ステップＳ２７において伝言メモ機能の動作が終了していない場合には、台所用リモートコントローラ１０４は、ステップＳ２３以降の動作を繰り返す。
【００８８】
（３）効果
（Ａ）
本実施形態に係る台所用リモートコントローラ１０４によると、伝言メモ機能による音声の録音や再生動作が行われている時に、通話機能による通話動作等の他機能の動作が実行される場合、音声の録音動作及び再生動作は優先的に実行され、その後他機能の動作が実行される。従って、例えばユーザが伝言メモ機能を用いて音声の録音を行っている時に通話機能の動作が実行されてしまい、通話までもが音声と共に録音されてしまったり、伝言メモ機能を用いて音声の再生を行っている時に通話機能の動作が実行されてしまい、再生中の音声と通話とが重なって出力されてしまったりすることを抑制することができるため、ユーザの利便性が向上する。
【００８９】
（Ｂ）
また、伝言機能動作実行部１４７ａが伝言メモ機能の動作として音声の録音動作を行っている時、表示部１４２には、図５（ａ）〜（ｃ）に示すように、録音可能な残り時間の経時的変化がグラフ表示される。また、伝言機能動作実行部１４７ａが伝言メモ機能の動作として音声の再生動作を行っている時、表示部１４２には、図６（ａ）〜（ｃ）に示すように、再生されている音声データの残り時間の経時的変化がグラフ表示される。従って、ユーザは、音声の録音可能な残り時間や再生されている音声の残り時間を、表示部１４２上から容易に知ることができる。
【００９０】
＜第３実施形態＞
次に、本発明の第３実施形態に係る台所用リモートコントローラ２０４について説明する。本実施形態に係る台所用リモートコントローラ２０４は、第１実施形態に係る台所用リモートコントローラ４と同様、給湯器２を遠隔制御するためのものであって、伝言メモ機能や通話機能、キッチンタイマ機能、ガイダンス機能等の複数の機能を有している。
【００９１】
尚、台所用リモートコントローラ２０４は、第１実施形態に係る台所用リモートコントローラ４と同様、図１の給湯システム１を構成する１つの機器である。また、本実施形態において、給湯システム１を構成する台所用リモートコントローラ２０４以外のその他の機器としては、給湯器２及び浴室用リモートコントローラ５が該当するが、これらの各機器の詳細な構成は第１実施形態と同様であるため、説明を省略する。
【００９２】
（１）台所用リモートコントローラの構成
台所用リモートコントローラ２０４は、図１２及び図１３に示すように、操作部２４１（モード受付部に相当）、表示部２４２（第４表示部及び第５表示部に相当）、マイク２４３、スピーカー２４４、通信部２４５、記憶部２４６及び制御部２４７を備える。また、制御部２４７は、伝言メモ機能の動作を行う伝言機能動作実行部２４７ａ、通話機能の動作を行う通話機能動作部２４７ｂ、キッチンタイマ機能の動作を行うキッチンタイマ機能動作部２４７ｃ、ガイダンス機能の動作を行うガイダンス機能動作部２４７ｄ、伝言機能動作実行部２４７ａ及びその他の機能の動作部２４７ｂ〜２４７ｄの動作の実行を制御する動作制御部２４７ｅとして機能する。
【００９３】
尚、表示部２４２、マイク２４３、スピーカー２４４、通信部２４５、記憶部２４６、伝言機能動作実行部２４７ａ、通話機能動作部２４７ｂ、キッチンタイマ機能動作部２４７ｃ、ガイダンス機能動作部２４７ｄについては、第１実施形態で同じ名称を付して示した図３に係る表示部４２、マイク４３、スピーカー４４、通信部４５、記憶部４６、伝言機能動作実行部４７ａ、通話機能動作部４７ｂ、キッチンタイマ機能動作部４７ｃ、ガイダンス機能動作部４７ｄと同様であるため、詳細な説明を省略する。以下より、本実施形態の一特徴である操作部２４１及び動作制御部２４７ｅについて説明する。
【００９４】
操作部２４１は、図１３に示すように、伝言メモ機能ボタン２４１ａや沸き上げ運転開始ボタン２４１ｂ、メニューボタン２４１ｃ、及び数値の設定ボタン２４１ｄ等によって構成されている。操作部２４１は、これらのボタンがユーザにより押されると、押されたボタンに対応する指示を受け付ける。特に、本実施形態に係る操作部２４１は、伝言メモ機能優先モード、他機能優先モード及び非優先モードのいずれかの指定を受け付けることができる。伝言メモ機能優先モードとは、伝言メモ機能の動作の実行を優先させるためのモードであって、他機能優先モードとは、伝言メモ機能以外の他の機能（具体的には、通話機能、ガイダンス機能及びキッチンタイマ機能）の実行を優先させるためのモードである。非優先モードは、伝言メモ機能の動作や伝言メモ機能以外の他の機能の動作の優先順位が決定されてないモードである。具体的には、非優先モードは、任意の機能が動作している時に他の機能の動作が開始されようとする場合、現在動作中の機能を停止させたりせずに開始されようとする機能をそのまま動作させるモードである。これらのモードは、例えば、メニューボタン２４１ｃが押されかつモード設定が選択された場合に表示部２４２に表示される「モード設定」画面上から設定される（図１３）。設定されたモードは、動作制御部２４７ｅが各機能の動作部２７４ａ〜２７４ｄの動作制御を行う場合に用いられる。
【００９５】
動作制御部２４７ｅは、予め設定されているモードに基づいて、伝言機能動作実行部２４７ａによる伝言メモ機能の動作及びその他の機能の動作部２４７ｂ〜２４７ｄによる他の機能の動作を制御する。具体的には、伝言機能動作実行部２４７ａにより伝言メモ機能の動作が実行されている際に、その他の機能の動作部２４７ｂ〜２４７ｄにより他の機能の動作が実行されようとする場合、動作制御部２４７ｅは、予め設定されているモードが伝言メモ機能優先モードまたは他機能優先モードであれば、伝言メモ機能の動作及び他の機能の動作のいずれかを停止させる。即ち、動作制御部２４７ｅは、操作部２４１を介して指定された「伝言メモ機能モード」「他機能優先モード」に基づいて、実行中の伝言メモ機能の動作を優先させるか、または伝言メモ機能の動作中に割り込まれた他の機能の動作を優先させる。
【００９６】
例えば、伝言メモ機能により音声の録音や再生が行われている途中で、予めユーザにより設定されていた所定時間が経過した場合を考える。指定されているモードが「伝言メモ機能優先モード」である場合には、動作制御部２４７ｅは、キッチンタイマ機能の動作を開始させずに、伝言機能動作実行部２４７ａにより現在行われている伝言メモ機能の動作（即ち、音声の録音や再生）を継続させる。そして、伝言メモ機能の動作が終了した後に、動作制御部２４７ｅは、キッチンタイマ機能の動作（具体的には、所定時間が経過した旨をユーザに報知する動作）を開始させる。一方、指定されているモードが「他機能優先モード」である場合には、動作制御部２４７ｅは、現在行われている伝言メモ機能の動作を中止させ、キッチンタイマ機能の動作を開始させる。そして、キッチンタイマ機能の動作が終了した場合、動作制御部２４７ｅは、再度伝言機能動作実行部２４７ａによる伝言メモ機能の動作を実行させるべく、第１実施形態と同様の伝言メモ機能に関する画面（即ち、図１５（ａ））を表示部２４２に表示させる。
【００９７】
尚、上述したように「他機能動作優先モード」が指定されている場合には、伝言メモ機能が途中で停止されるため、それまでに録音されていた音声データは不完全なものとなる。そこで、この場合も、第１実施形態と同様、記憶部４６の記憶領域を予め２つに分けておく（第１記憶領域及び第２記憶領域）。伝言機能動作実行部２４７ａは、第１記憶領域に録音中の音声データを一時的に記憶させ、録音が途中で停止されることなく完了した場合には、この音声データを第２記憶領域に移動させる。また、動作制御部２４７ｅにより録音動作が途中で停止された場合には、伝言機能動作実行部２４７ａは、第１記憶領域に記憶中だった音声データを、第１記憶領域から消去する。これにより、記憶部２４６には、録音動作が完了した音声データが記憶されるようになる。
【００９８】
更に、動作制御部２４７ｅは、予め設定されているモードが非優先モードであって、伝言メモ機能の動作の実行中に残りの機能（即ち、伝言メモ機能以外の機能）の動作が実行されようとする場合、現在行われている伝言メモ機能の動作を停止させずに伝言メモ機能以外の機能の動作を開始させる。例えば、伝言メモ機能を用いて音声の録音が行われている場合に、通話機能が開始されようとする場合、動作制御部２４７ｅは、音声の録音中に通話機能をオンさせる。逆に、動作制御部２４７ｅは、予め設定されているモードが非優先モードであって、伝言メモ機能以外の機能の動作の実行中に伝言メモ機能の動作が行われようとする場合、現在行われている伝言メモ機能以外の機能の動作を停止させずに、伝言メモ機能の動作を開始させる。例えば、通話機能の動作中に音声の再生が開始されようとする場合、動作制御部２４７ｅは、通話機能の動作をそのまま継続させると共に音声の再生動作を開始させる。このように、動作制御部２４７ｅは、非優先モードが設定されている場合において、任意の機能が動作している時に他の機能の動作開始が割り込まれた場合、任意の動作をそのまま継続させると共に割り込まれた他の機能の動作を開始させる。
【００９９】
また、本実施形態に係る動作制御部２４７ｅは、第１実施形態に係る動作制御部４７ｅと同様、伝言メモ機能により音声の録音及び再生が行われている時には、図５及び図６に示すような音声に関する画面を表示部２４２に出力させる。即ち、動作制御部２４７ｅは、音声の録音動作時には、図５（ａ）〜（ｃ）に示すように、録音可能な音声の残り時間（第５残り時間に相当）の経時的変化を、ユーザが把握できるように表示部２４２にグラフ表示させる。また、動作制御部２４７ｅは、音声の再生動作時には、図６（ａ）〜（ｃ）に示すように、音声が再生される残り時間（第６残り時間に相当）の経時的変化を、ユーザが把握できるように表示部２４２にグラフ表示させる。
【０１００】
（２）台所用リモートコントローラの動作
次に、台所用リモートコントローラ２０４の動作について、図１４を用いて説明する。尚、以下では、図１３の画面上から伝言メモ機能優先モード、他機能優先モード及び非優先モードのいずれかが予め設定されているとする。
【０１０１】
ステップＳ４１：操作部２４１上の伝言メモ機能ボタン２４１ａが押された場合（Ｓ４１のＹｅｓ）、表示部２４２には、図１５（ａ）の画面が表示される。
【０１０２】
ステップＳ４２：図１５（ａ）の画面上から音声の再生または録音のいずれかが選択されると、伝言機能動作実行部２４７ａは、選択された音声の再生または録音、即ち伝言メモ機能の動作を開始させる。伝言機能動作実行部２４７ａにより音声の録音動作が行われている時には、動作制御部２４７ｅは、図５（ａ）〜（ｃ）に示す画面を表示部２４２に表示させる。また、伝言機能動作実行部２４７ａにより音声の再生動作が行われている時には、動作制御部２４７ｅは、図６（ａ）〜（ｃ）に示す画面を表示部２４２に表示させる。
【０１０３】
ステップＳ４３：伝言メモ機能の動作が実行中の状態において、伝言メモ機能以外の動作（具体的には、通話機能、ガイダンス機能、キッチンタイマ機能による所定時間経過の報知）が割り込まれた場合（Ｓ４３のＹｅｓ）、動作制御部２４７ｅは、既に設定されているモードの確認を行う。
【０１０４】
ステップＳ４４〜Ｓ４６：設定されているモードが「他機能優先モード」である場合（Ｓ４４のＹｅｓ）、動作制御部２４７ｅは、伝言メモ機能の動作を中止させると共に、図１５（ｂ）に示すように、伝言メモ機能の動作が途中で中止した旨を示す動作情報Ｐ２を、表示部２４２に表示させる（Ｓ４５）。次いで、伝言メモ機能の動作が停止された後、動作制御部２４７ｅは、ステップＳ４３で割り込まれた機能の動作を、この機能を実行可能な他の機能の動作部２４７ｂ〜２４７ｄに行わせる（Ｓ４６）。
【０１０５】
ステップＳ４７〜Ｓ４８：ステップＳ４６で開始された機能の動作が終了した後（Ｓ４７のＹｅｓ）、動作制御部２４７ｅは、図１５（ａ）に示すように、伝言メモ機能に関する画面を表示部２４２に表示させる（Ｓ４８）。その後、台所用リモートコントローラ２０４は、ステップＳ４２以降の動作を行う。
【０１０６】
ステップＳ４９〜Ｓ５０：ステップＳ４４において、設定されているモードが「伝言メモ機能優先モード」である場合（Ｓ４９のＹｅｓ）、動作制御部２４７ｅは、割り込まれた他の機能の動作を開始させずに、現在行われている伝言メモ機能の動作を継続させる（Ｓ５０）。
【０１０７】
ステップＳ５１〜Ｓ５２：伝言メモ機能の動作が終了すると（Ｓ５１のＹｅｓ）、動作制御部２４７ｅは、ステップＳ４３で割り込まれた他の機能の動作を、この機能を実行可能な他の機能の動作部２４７ｂ〜２４７ｄに行わせる（Ｓ５２）。
【０１０８】
ステップＳ５３〜Ｓ５４：設定されているモードが「非優先モード」である場合（Ｓ５３のＹｅｓ）、動作制御部２４７ｅは、伝言機能動作実行部２４７ａにより現在行われている伝言メモ機能の動作を継続させた状態で、ステップＳ４３で割り込まれた他の機能の動作を開始させる（Ｓ５４）。
【０１０９】
ステップＳ５５：ステップＳ４３において、伝言メモ機能の動作中に他の機能の割り込みが生じず（Ｓ４３のＮｏ）、伝言メモ機能の動作が終了した場合には（Ｓ５５のＹｅｓ）、台所用リモートコントローラ２０４は、一連の動作を終了する。尚、ステップＳ５５において伝言メモ機能の動作が終了していない場合には、台所用リモートコントローラ２０４は、ステップＳ４３以降の動作を繰り返す。
【０１１０】
（３）効果
（Ａ）
本実施形態に係る台所用リモートコントローラ２０４では、伝言メモ機能による音声の録音や再生動作が行われている時に他の機能の動作が行われる際、伝言メモ機能優先モードが指定されている場合には、他の機能の動作開始が停止され、音声の録音や再生動作が優先的に実行される。また、他機能優先モードが指定されている場合には、伝言メモ機能による音声の録音や再生動作が中止され、他の機能の動作が優先的に実行される。従って、例えばユーザが音声の録音を行っている時に通話機能の動作が実行されてしまい、通話までもが音声と共に録音されたりすることや、音声を再生している時に通話機能の動作が実行されてしまい、再生中の音声と通話とが重なって出力されてしまうことを抑制することができるため、ユーザの利便性が向上する。
【０１１１】
（Ｂ）
また、他機能優先モードが選択されており、伝言機能動作実行部２４７ａが伝言メモ機能の動作を途中で停止した場合、表示部２４２には、この旨を示す動作情報Ｐ２が表示される（図１５（ｂ））。従って、ユーザは、音声の録音または再生中に、録音動作や再生動作が台所用リモートコントローラ２０４により故意に停止されたことを知ることができる。
【０１１２】
（Ｃ）
また、動作制御部２４７ｅは、他機能優先モードが選択されている際に、伝言メモ機能の動作が途中で停止され、次いで実行されていた伝言メモ機能以外の他の機能の動作が終了した場合、図１５（ａ）に示すような伝言メモ機能に関する画面を表示部２４２に表示させる。従って、ユーザは、他機能の動作の実行が終了した後、音声の録音や再生用の画面を表示部２４２に表示させる設定を行わずとも、表示部２４２に自動的に表された図１５（ａ）の画面上から音声の録音及び再生を簡単に開始させることができる。
【０１１３】
（Ｄ）
また、伝言機能動作実行部２４７ａが伝言メモ機能の動作として音声の録音動作を行っている時、表示部２４２には、図５（ａ）〜（ｃ）に示すように、録音可能な残り時間の経時的変化がグラフ表示される。また、伝言機能動作実行部２４７ａが伝言メモ機能の動作として音声の再生動作を行っている時、表示部２４２には、図６（ａ）〜（ｃ）に示すように、再生されている音声データの残り時間の経時的変化がグラフ表示される。従って、ユーザは、音声の録音可能な残り時間や再生されている音声の残り時間を、表示部２４２上から容易に知ることができる。
【０１１４】
（Ｅ）
また、本実施形態に係る台所用リモートコントローラ２０４によると、ユーザは、伝言メモ機能優先モード及び他機能優先モードの他に、非優先モードを指定することができる。そのため、ユーザの選択肢の幅が広がり、使い勝手が良くなる。そして、台所用リモートコントローラ２０４によると、非優先モードが指定されている際には、例えば伝言メモ機能により音声の録音動作が行われている時に通話機能が実行されようとする場合、伝言メモ機能の動作が停止されることなく通話機能が開始されるため、通話内容が録音されるようになる。
【０１１５】
＜その他の実施形態＞
（ａ）
上記第１〜第３実施形態では、説明を簡単にするため、台所用リモートコントローラ４，１０４，２０４の記憶部４６、１４６，２４６に記憶されている音声データが１つである場合について説明した。しかし、記憶部４６，１４６，２４６が記憶する音声データは、複数であってもよい。
【０１１６】
（ｂ）
上記第１及び第３実施形態では、伝言メモ機能が停止したことを示す動作情報Ｐ１，Ｐ２が、例えば図９，図１５（ｂ）に示すように表示部４２，２４２に表示される場合について説明した。しかし、伝言メモ機能の動作が途中で中止した旨がユーザに分かれば良いため、動作情報Ｐ１，Ｐ２は、音声による出力や、表示と音声との組み合わせで報知されてもよい。
【０１１７】
（ｃ）
上記第１〜第３実施形態では、本発明に係る遠隔制御装置が、台所用リモートコントローラ４，１０４，２０４に適用された場合について説明した。しかし、本発明に係る遠隔制御装置は、伝言メモ機能の他に、通話機能やガイダンス機能等の動作時に音を発する機能を搭載しているリモートコントローラであれば、浴室用リモートコントローラに採用されてもよい。
【０１１８】
（ｄ）
上記第１及び第３実施形態では、動作情報Ｐ１，Ｐ２の画面（図９や図１５（ｂ））と音声に関する画面（図５及び図６）とが、共に同じ表示部４２，２４２に表示される場合について説明したが、動作情報Ｐ１の画面を表示するための表示部と、図５や図６の音声に関する画面を表示するための表示部とは、別々に設けられても良い。
【産業上の利用可能性】
【０１１９】
本発明の遠隔制御装置は、ユーザの利便性が向上するという効果を有し、給湯器を遠隔制御するためのリモートコントローラとして有用である。
【図面の簡単な説明】
【０１２０】
【図１】第１実施形態に係る給湯システムの構成図。
【図２】台所用リモートコントローラの外観図。
【図３】第１実施形態に係る台所用リモートコントローラの構成を模式的に示すブロック図。
【図４】台所用リモートコントローラの表示部に伝言メモ機能に関する画面が表示された例。
【図５】（ａ）台所用リモートコントローラの表示部に表示される録音中の画面例１。（ｂ）台所用リモートコントローラの表示部に表示される録音中の画面例２。（ｃ）台所用リモートコントローラの表示部に表示される録音中の画面例３。
【図６】（ａ）台所用リモートコントローラの表示部に表示される再生中の画面例１。（ｂ）台所用リモートコントローラの表示部に表示される再生中の画面例２。（ｃ）台所用リモートコントローラの表示部に表示される再生中の画面例３。
【図７】浴室用リモートコントローラの外観図。
【図８】第１実施形態に係る台所用リモートコントローラの一連の動作を説明するためのフロー図。
【図９】伝言メモ機能の動作が中止された旨を示す動作情報が表示部に表示された例。
【図１０】第２実施形態に係る台所用リモートコントローラの構成を模式的に示すブロック図。
【図１１】第２実施形態に係る台所用リモートコントローラの一連の動作を説明するためのフロー図。
【図１２】第３実施形態に係る台所用リモートコントローラの構成を模式的に示すブロック図。
【図１３】台所用リモートコントローラの外観と、この台所用リモートコントローラの表示部に表示される伝言メモ機能優先モードまたは他機能優先モードを選択するための選択画面例とを示した図。
【図１４】第３実施形態に係る台所用リモートコントローラの一連の動作を説明するためのフロー図。
【図１５】（ａ）第３実施形態に係る台所用リモートコントローラの表示部に表示された伝言メモ機能に関する画面例。（ｂ）第３実施形態に係る台所用リモートコントローラの表示部に表示された動作情報の表示例。
【符号の説明】
【０１２１】
１  給湯システム
２  給湯器
３  マイクロコンピュータ
４，１０４，２０４  台所用リモートコントローラ
５  浴室用リモートコントローラ
２１  ヒートポンプユニット
２１ａ  空気熱交換器
２１ｃ  第１水熱交換器
２２  貯湯タンク
２３  第２水熱交換器
４１，１４１，２４１  操作部
４２，１４２，２４２  表示部
４６，１４６，２４６  記憶部
４７，１４７，２４７  制御部
４７ａ，１４７ａ，２４７ａ  伝言機能動作実行部
４７ｂ，１４７ｂ，２４７ｂ  通話機能動作部
４７ｃ，１４７ｃ，２４７ｃ  キッチンタイマ機能動作部
４７ｄ，１４７ｄ，２４７ｄ  ガイダンス機能動作部
４７ｅ，１４７ｅ，２４７ｅ  動作制御部
８１  浴槽
８２  水栓
ｇ１，ｇ２  グラフ
Ｐ１，Ｐ２  動作情報
【図１】
2009135823.tif 000003
【図２】
2009135823.tif 000004
【図３】
2009135823.tif 000005
【図４】
2009135823.tif 000006
【図５】
2009135823.tif 000007
【図６】
2009135823.tif 000008
【図７】
2009135823.tif 000009
【図８】
2009135823.tif 000010
【図９】
2009135823.tif 000011
【図１０】
2009135823.tif 000012
【図１１】
2009135823.tif 000013
【図１２】
2009135823.tif 000014
【図１３】
2009135823.tif 000015
【図１４】
2009135823.tif 000016
【図１５】
2009135823.tif 000017